(57)【特許請求の範囲】
【請求項１】
ＵＳＢポート用のブロックアウトデバイスであって、
底部が、ＵＳＢポートに係合するために複数の歯を含む、底部および上部ならびにラッチを有するロッキング部材と、
中にチャネルを画定する上部、底部、および側部を有する、前記ロッキング部材を受容し且つ前記ラッチと係合する本体部材と、
前記ロッキング部材および前記本体部材を受容するための空洞を有するシェルであって、それによって、前記ブロックアウトデバイスが前記ＵＳＢポートに取り付けられたときに、前記ロッキング部材および前記本体部材が、前記シェルの前記空洞内に位置付けられる、シェルと、
前記ブロックアウトデバイスを前記ＵＳＢポートから取り外すための取り外し工具であって、該取り外し工具が、前部、後部、前記シェルおよび前記本体部材内のスロットに係合するための偏向可能なアーム、および金属舌部を含み、該金属舌部が、前記取り外し工具の前記前部から延在し、それによって、前記取り外し工具が前記ブロックアウトデバイスに取り付けられたときに、前記金属舌部が、前記ラッチと前記本体部材との係合を解除する、取り外し工具と、を具備している、ブロックアウトデバイス。
【請求項２】
前記ラッチが、前記本体部材に係合するために前記ロッキング部材の前記上部を越えて上向きに偏向する、請求項１に記載のブロックアウトデバイス。
【請求項３】
前記本体部材の前記上部が、前記ロッキング部材の前記ラッチを受容するためのポケットを含む、請求項２に記載のブロックアウトデバイス。
【請求項４】
前記ロッキング部材が脚部を含み、該脚部は各脚部から下向きに延在する突出部を有する、請求項１に記載のブロックアウトデバイス。
【請求項５】
前記本体部材の前記チャネルが、前記ロッキング部材の前記脚部を受容する、請求項４に記載のブロックアウトデバイス。
【請求項６】
前記ロッキング部材が、前記本体部材内での前記ロッキング部材の移動を制限するための外向きに延在する突出部を有する側部を有する、請求項１に記載のブロックアウトデバイス。
【請求項７】
前記本体部材が、前記本体部材の前記上部を越えて延在する肩部をさらに含み、該肩部が、前記本体部材の前記チャネル内に位置付けられたポケットを含む、請求項１に記載のブロックアウトデバイス。
【請求項８】
前記本体部材の前記チャネルが、前記取り外し工具を受容するための第１の部分と、前記ロッキング部材を受容するための第２の部分と、を含む、請求項１に記載のブロックアウトデバイス。
【請求項９】
前記シェルが、上部、底部、側部、後端、および前開口部を含む、請求項１に記載のブロックアウトデバイス。
【請求項１０】
前記シェルが、前記本体部材を受容するための中心スロットをさらに含む、請求項９に記載のブロックアウトデバイス。
【請求項１１】
前記偏向可能なアームが、内向きに延在する突出部を含む、請求項１に記載のブロックアウトデバイス。
【請求項１２】
前記取り外し工具が、前記取り外し工具の前記後部から前記前部に向かって移動する摺動部をさらに備え、前記摺動部が、前記偏向可能なアームに係合して、前記偏向可能なアームを前記シェルおよび前記本体部材のスロット内に圧迫する、請求項１に記載のブロックアウトデバイス。
【請求項１３】
ＵＳＢポート用のブロックアウトデバイスであって、
長手方向に延びたロッキング部材であって、前部、脚部を備えた後部、上部、および底部、ならびにラッチを備え、且つＵＳＢポートに係合するために複数の歯を含んだ、ロッキング部材と、
長手方向に延びた本体部材であって、前記ロッキング部材を受容するためのチャネルを形成した上部、底部、および側部、ならびに前記ラッチを受容するためのポケットを備えた、本体部材と、
長手方向に延びたシェルであって、前記ロッキング部材および前記本体部材を受容するための空洞を形成した上部、底部、側部、前端、および閉じられた後端を備えた、シェルと、を具備し、
前記ロッキング部材の各脚部は該各脚部から下向きに延びた突出部を備え、これによって該突出部は前記脚部から突出して、前記ロッキング部材の前記本体部材に対する移動を制限しており、
前記ブロックアウトデバイスの前記ＵＳＢポートへの挿入工程の際に、前記ロッキング部材は前記本体部材に対して長手方向において相対移動し、前記ブロックアウトデバイスが前記ＵＳＢポートに完全に挿入された場合、前記ラッチは前記ポケットと係合する、ブロックアウトデバイス。
【請求項１４】
前記ロッキング部材の底部は前記ＵＳＢポートに係合するために複数の歯を備えている、請求項１３に記載のブロックアウトデバイス。
【請求項１５】
前記ロッキング部材の側部は、前記本体部材の前部と係合するための、前記側部から外向きに延在した突出部を備え、前記ロッキング部材の移動を制限している、請求項１３に記載のブロックアウトデバイス。
【請求項１６】
前記ロッキング部材は偏向可能なラッチを備え、前記ロッキング部材が前記本体部材のチャネル内に受容されたとき、前記ラッチは前記ロッキング部材の前記上部を越えて偏向する、請求項１３に記載のブロックアウトデバイス。
【請求項１７】
前記本体部材のチャネルは第１の部分と第２の部分とを備え、該第２の部分は前記ロッキング部材の脚部を受容する、請求項１３に記載のブロックアウトデバイス。
【請求項１８】
前記第２の部分の上部は隆起肩部を備え、前記本体部材のチャネルは前記隆起肩部の下に位置付けられたポケットを備えている、請求項１７に記載のブロックアウトデバイス。
【請求項１９】
前記ロッキング部材は偏向可能なラッチを備え、前記ロッキング部材が前記本体部材のチャネル内に位置付けられたとき、前記ラッチは前記ロッキング部材の前記上部を越えて、前記ポケット内に偏向する、請求項１８に記載のブロックアウトデバイス。
【請求項２０】
前記シェルは、前記シェルの中心から後端に延在した中心スロットを備え、前記本体部材が前記シェル内に位置付けられたとき、前記肩部は前記中心スロット内に位置付けられ、前記肩部は前記シェルの上部を越えて延びている、請求項１８に記載のブロックアウトデバイス。
【請求項２１】
前記チャネルの第１の部分は取り外し工具を受容するための開口部を形成している、請求項１７に記載のブロックアウトデバイス。
【請求項２２】
ＵＳＢポート用のブロックアウトデバイスであって、
長手方向に延びたロッキング部材であって、前部、脚部を備えた後部、上部、および底部、ならびにラッチを備え、且つＵＳＢポートに係合するために複数の歯を含んだ、ロッキング部材と、
長手方向に延びた本体部材であって、前記ロッキング部材を受容するためのチャネルを形成した上部、底部、および側部、ならびに前記ラッチを受容するためのポケットを備え、前記本体部材のチャネルが第１の部分と第２の部分とを備え、前記第２の部分は前記ロッキング部材の脚部を受容する、本体部材と、
長手方向に延びたシェルであって、前記ロッキング部材および前記本体部材を受容するための空洞を形成した上部、底部、側部、前端、および閉じられた後端を備えた、シェルと、を具備し、
前記ブロックアウトデバイスの前記ＵＳＢポートへの挿入工程の際に、前記ロッキング部材は前記本体部材に対して長手方向において相対移動し、前記ブロックアウトデバイスが前記ＵＳＢポートに完全に挿入された場合、前記ラッチは前記ポケットと係合する、ブロックアウトデバイス。
【請求項２３】
前記第２の部分の上部は隆起肩部を備え、前記本体部材のチャネルは前記隆起肩部の下に位置付けられたポケットを備えている、請求項２２に記載のブロックアウトデバイス。
【請求項２４】
前記ロッキング部材は偏向可能なラッチを備え、前記ロッキング部材が前記本体部材のチャネル内に位置付けられたとき、前記ラッチは前記ロッキング部材の前記上部を越えて、前記ポケット内に偏向する、請求項２３に記載のブロックアウトデバイス。
【請求項２５】
前記シェルは、前記シェルの中心から後端に延在した中心スロットを備え、前記本体部材が前記シェル内に位置付けられたとき、前記肩部は前記中心スロット内に位置付けられ、前記肩部は前記シェルの上部を越えて延びている、請求項２３に記載のブロックアウトデバイス。
【請求項２６】
前記チャネルの第１の部分は取り外し工具を受容するための開口部を形成している、請求項２２に記載のブロックアウトデバイス。
【発明の詳細な説明】
【技術分野】
【０００１】
本発明は、ブロックアウトデバイスに関し、より具体的には、使用していないときに、ＵＳＢポートの汚染、損傷、または誤用を防止するための、ＵＳＢポート用のブロックアウトデバイスに関係する。
【背景技術】
【０００２】
ＵＳＢレセプタクルは、電子デバイス、例えば、コンピュータおよびラップトップ上に位置する一般のデータポートである。ＵＳＢポートの広範な使用に伴って、ＵＳＢポートを介して入手可能なデータに安全性を提供することが、最優先事項となっている。したがって、汚染、損傷、または誤用からＵＳＢポートを保護およびロックすることが重要である。ＵＳＢポートロックデバイスは、典型的には、ポートが使用されていないときにＵＳＢポートに挿入され、ポートを保護し、ポートへの不正アクセスを防止する。先行のＵＳＢポートロックデバイスは、ＵＳＢポート上面上の開口部に係合する。しかしながら、先行のポートロックデバイスは、ＵＳＢポートの上面が必ずしも開口部を含むとは限らないため、すべてのＵＳＢポートと互換性があるわけではない。先行のロックデバイスはＵＳＢポートをカバーするが、それらのデバイスは、すべてのＵＳＢポートを安全にロックする不正使用防止ブロックアウトデバイスを提供することができない。
【０００３】
したがって、ブロックアウトデバイスが特注の取り外し工具を用いて取り外されるまで、使用していないときにＵＳＢデータポートを保護する改良された不正使用防止ブロックアウトデバイスを提供することが望ましい。
【発明の概要】
【発明が解決しようとする課題】
【０００４】
本発明は、独創的なＵＳＢポート用のブロックアウトデバイスを提供することを目的としている。
【課題を解決するための手段】
【０００５】
本発明は、使用していないときに、ＵＳＢポートの汚染、損傷、または誤用を防止するように設計されるブロックアウトデバイスを対象とする。ブロックアウトデバイスは、ロッキング部材、本体部材、およびシェルを含む。ロッキング部材は、底部および上部を有する。ロッキング部材の底部は、装置がＵＳＢポートに取り付けられるときにＵＳＢポートに係合する複数の歯を含む。本体部材は、その中にチャネルを画定する上部、底部、および側部を有する。本体部材のチャネルは、ロッキング部材を受容する。シェルは、ロッキング部材および本体部材を受容する空洞を含む。ブロックアウトデバイスがＵＳＢポートに取り付けられるときに、ロッキング部材および本体部材は、シェルの空洞内に位置付けられる。ブロックアウトデバイスは、ブロックアウトデバイスが取り外し工具によって取り外されるまで、ＵＳＢポートを保護する。
【図面の簡単な説明】
【０００６】
【図１】本発明のＵＳＢポート、ＵＳＢブロックアウトデバイス、および取り外し工具の上面斜視図である。
【図２】図１のＵＳＢポート、ＵＳＢブロックアウトデバイス、および取り外し工具の底面斜視図である。
【図３】図１のＵＳＢブロックアウトデバイスの上面斜視分解図である。
【図４】図３のＵＳＢブロックアウトデバイスの底面斜視図である。
【図５】図４のＵＳＢブロックアウトデバイスの部分的に組み立てられた底面斜視図である。
【図６】非ラッチ位置にある図５のＵＳＢブロックアウトデバイスの組み立てられた底面斜視図である。
【図７】図６のＵＳＢブロックアウトデバイスの上面斜視図である。
【図８】非ラッチ位置にある図７のＵＳＢブロックアウトデバイスの上面斜視図である。
【図９】ＵＳＢポートに取り付けられるように位置付けられた、図６のＵＳＢブロックアウトデバイスの側面図である。
【図１０】ＵＳＢポートに取り付けられるように位置付けられた、図９のＵＳＢブロックアウトデバイスの断面図である。
【図１１】ＵＳＢポートに挿入された、図９のＵＳＢブロックアウトデバイスの側面図である。
【図１２】ＵＳＢポートに挿入された、図１１のＵＳＢブロックアウトデバイスの断面図である。
【図１３】ＵＳＢポートに完全に取り付けられた、図１１のＵＳＢブロックアウトデバイスの側面図である。
【図１４】ＵＳＢポートに完全に取り付けられた、図１３のＵＳＢブロックアウトデバイスの断面図である。
【図１５】ＵＳＢブロックアウトデバイスに挿入されるように位置付けられた取り外し工具と共にＵＳＢポートに完全に取り付けられた、図１３のＵＳＢブロックアウトデバイスの上面斜視図である。
【図１６】ＵＳＢブロックアウトデバイスに挿入された取り外し工具と共にＵＳＢポートに完全に取り付けられた、図１５のＵＳＢブロックアウトデバイスの上面斜視図である。
【図１７】ＵＳＢブロックアウトデバイスに固定された取り外し工具と共にＵＳＢポートに完全に取り付けられた、図１６のＵＳＢブロックアウトデバイスの上面斜視図である。
【図１８】ＵＳＢブロックアウトデバイスに固定された取り外し工具と共にＵＳＢポートに取り付けられた、図１７のＵＳＢブロックアウトデバイスの断面図である。
【図１９】取り外し工具によってＵＳＢポートから取り外されている、図１７のＵＳＢブロックアウトデバイスの断面図である。
【図２０】取り外し工具によってＵＳＢポートから取り外された、図１７のＵＳＢブロックアウトデバイスの断面図である。
【図２１】本発明の恒久的ＵＳＢブロックアウトデバイスの底面斜視図である。
【図２２】ＵＳＢポートに取り付けられる、図２１の恒久的なＵＳＢブロックアウトデバイスの上面斜視図である。
【図２３】ＵＳＢポートに取り付けられた、図２２の恒久的なＵＳＢブロックアウトデバイスの上面斜視図である。
【図２４】ＵＳＢポートに取り付けられた、図２３の恒久的ＵＳＢブロックアウトデバイスの断面図である。
【発明を実施するための形態】
【０００７】
図１および２は、本発明のＵＳＢブロックアウトデバイス６０および取り外し工具１３０を受容するように位置付けられたＵＳＢポート５０を例示する。ＵＳＢブロックアウトデバイス６０は、ＵＳＢポート５０が使用されていないときに、ＵＳＢポート５０の汚染、損傷、または誤用を防止する。ＵＳＢポート５０は、複数の接触スロット５４を有する接触プレート５２を含む。以下で論じられるように、ＵＳＢブロックアウトデバイス６０は、接触スロット５４で保持されるように設計される。ＵＳＢブロックアウトデバイス６０は、取り外し工具１３０を介してのみ、ＵＳＢポート５０から取り外され得る。
【０００８】
図３〜８は、ＵＳＢブロックアウトデバイス６０を例示する。ＵＳＢブロックアウトデバイス６０は、摺動部６２、本体８４、および金属シェル１１０を含む。図３に例示されるように、摺動部６２は、前部６４および脚部６８を有する後部６６を含む。摺動部６２の上部７０は、成形ラッチ７２を含む。成形ラッチ７２は、摺動部６２の上部７０を越えて上向きに延在するように偏向可能である。摺動部６２は、ブロックアウトデバイス６０の本体８４内の摺動部６２の移動を制限する外向きに延在する突出部７６を有する側部７４を含む。
【０００９】
図４に例示されるように、摺動部６２の底部７８は、複数の成形歯８０を含む。図１１〜１４を参照して論じられるように、成形歯８０は、ブロックアウトデバイス６０を適所に固定するように、ＵＳＢポート５０の接触プレート５２の接触スロット５４に位置付けられる。
【００１０】
図４は、各脚部６８から下向きに延在する突出部８２を有する摺動部６２の脚部６８も例示する。脚部６８から延在する突出部８２は、本体８４に対して摺動部６２の移動を制限する。
【００１１】
ＵＳＢブロックアウトデバイス６０の本体８４は、上部８６、部分的に開口する底部８８、前部９０、後部９２、および側部９４を含む。本体８４は、本体８４の上部８６および側部９４に沿って位置付けられる取り外し工具取り付けスロット９６を含む。取り外し工具取り付けスロット９６は、本体８４の中心付近に位置付けられる。本体８４の上部８６は、隆起肩部９８も含む。
【００１２】
本体８４の底部８８は、摺動部６２を受容するように設計されるチャネル１００を画定する。チャネル１００は、第１の部分１０２（図３）および第２の部分１０４（図４）を含む。チャネル１００の第１の部分１０２は、取り外し工具１３０の金属舌部１３６を受容する長方形開口部を画定する（図１５および１６を参照されたい）。図４に例示されるように、第２の部分１０４は、下向きに延在する突出部８２を有する摺動部６２の脚部６８を受容する。本体８４は、摺動部６２の成形ラッチ７２を受容するために肩部９８（図１０を参照されたい）の下に位置付けられるポケット１０６も含む。
【００１３】
ＵＳＢブロックアウトデバイス６０の金属シェル１１０は、その中に空洞１２２を画定する、前開口部１１２、上部１１４、底部１１６、側部１１８、および後端１２０を含む。金属シェル１１０は、本体を受容するように設計される（図６〜８を参照されたい）。金属シェル１１０は、金属シェル１１０の上部１１４および側部１１８に沿って位置付けられる取り外し工具取り付けスロット１２４を含む。金属シェル１１０は、金属シェル１１０の略中心から後端１２０に延在する中心スロット１２６も含む。したがって、本体８４が金属シェル１１０に取り付けられるときに、取り外し工具取り付けスロット９６、１２４はそれぞれ整合し、本体８４の肩部９８は、中心スロット１２６に位置付けられる。肩部９８は、金属シェル１１０の上部１１４を越えて延在する。
【００１４】
図５に例示されるように、摺動部６２は、非ラッチ位置で本体８４内に位置付けられる。摺動部６２の側部７４から延在する突出部７６は、摺動部６２の移動を制限するように、本体８４の前部９０に係合する。図６および７に例示されるように、金属シェル１１０は、取り外し工具取り付けスロット１２４、９６がそれぞれ整合するまで、本体８４にわたって取り付けられる。図８は、ＵＳＢブロックアウトデバイス６０の本体８４および金属シェル１１０に対する、非ラッチ位置の摺動部６２を例示する。
【００１５】
図９および１０は、摺動部６２が本体の前部９０および金属シェル１１０の前端を越えて延在する、非ラッチ位置のＵＳＢブロックアウトデバイス６０を例示する。ラッチされていないＵＳＢブロックアウトデバイス６０は、ＵＳＢポート５０に取り付けられるように位置付けられる。
【００１６】
図１１および１２は、ＵＳＢポート５０に位置付けられたラッチされていないＵＳＢブロックアウトデバイス６０を例示する。摺動部６２の成形歯８０は、ＵＳＢブロックアウトデバイス６０をＵＳＢポート５０に固定するように、ＵＳＢポート５０の接触スロット５４上に位置付けられる。摺動部６２の成形ラッチ７２は、本体８４の上部８６に係合する。
【００１７】
図１３および１４は、ラッチ位置にあり、ＵＳＢポート５０に完全に取り付けられたＵＳＢブロックアウトデバイス６０を例示する。ＵＳＢブロックアウトデバイス６０がラッチされるとき、摺動部６２の成形ラッチ７２は、本体８４のポケット１０６内に延在する。ＵＳＢブロックアウトデバイス６０は、ＵＳＢポート５０に固定される。ＵＳＢブロックアウトデバイス６０は、取り外し工具１３０を介してのみ、ＵＳＢポート５０から取り外され得る。その結果、耐タンパー性のＵＳＢブロックアウトデバイス６０は、ＵＳＢポート５０を、汚染、損傷、または誤用から保護する。
【００１８】
図１５〜２０は、ＵＳＢブロックアウトデバイス６０内に取り付けられており、ＵＳＢポート５０からＵＳＢブロックアウトデバイス６０を取り外す、取り外し工具１３０を例示する。取り外し工具１３０は、金属舌部１３６および内向きに延在する突出部１４２を有する偏向可能なアーム１４０を含む。取り外し工具１３０の金属舌部１３６は、ブロックアウトデバイス６０へ、金属シェル１１０の中心スロット１２６および本体８４の肩部９８の下に挿入される。図１６に例示されるように、取り外し工具１３０がブロックアウトデバイスに完全に挿入されるとき、金属舌部１３６は肩部９８の下に位置付けられ、取り外し工具１３０の一部が、本体８４のチャネル１００の第１の部分１０２、および金属シェル１１０の中心スロット１２６に位置付けられる。
【００１９】
また、取り外し工具１３０の金属舌部１３６がＵＳＢブロックアウトデバイス６０に取り付けられるとき、偏向可能なアーム１４０が、本体８４および金属シェル１１０の取り外し工具スロット９６、１２４に、それぞれ位置付けられる。工具摺動部１４４は、図１７に例示されるように、偏向可能なアーム１４０に係合する取り外し工具１３０の前部１３２に向かって摺動し、偏向可能なアーム１４０を圧迫して、取り外し工具スロット９６、１２４の中に入れる。工具摺動部１４４は、内向きに延在する突出部１４２が、取り外し工具スロット９６、１２４に配置されるように、偏向可能なアームを内向きに圧迫する。工具摺動部１４４がいったん偏向可能なアーム１４０上に位置づけられると、取り外し工具１３０は、ＵＳＢブロックアウトデバイス６０に固定される。
【００２０】
図１８に例示されるように、金属舌部１３６が肩部９８の下で本体８４に入るとき、金属舌部１３６は、摺動部６２の成形ラッチ７２に係合し、成形ラッチ７２を本体８４のポケット１０６から押し出す。取り外し工具１３０が、ブロックアウトデバイス６０に完全に取り付けられるとき、金属舌部１３６が、ポケット１０６を被覆し、成形ラッチ７２が上向きに偏向することを防止する。その結果、ブロックアウトデバイス６０を、ＵＳＢポート５０から取り外すことができる。
【００２１】
図１９および２０は、ＵＳＢブロックアウトデバイス６０をＵＳＢポート５０から取り外す、取り外し工具１３０を例示する。いったん成形ラッチ７２が解放されると、本体８４および金属シェル１１０をＵＳＢポート５０の外へ摺動することができ、それによって、成形歯８０が、接触スロット５４の外へ上昇することを可能にする。ブロックアウトデバイス６０がＵＳＢポート５０から取り外された後、取り外し工具１３０の偏向可能なアーム１４０をブロックアウトデバイス６０から解放するように、工具摺動部１４４を取り外し工具１３０の後部１３４に向かって摺動することができる。そこで、取り外し工具１３０は、ブロックアウトデバイス６０から取り外され得る。
【００２２】
図２１〜２４は、恒久的ＵＳＢブロックアウトデバイス１５０を例示する。恒久的ＵＳＢブロックアウトデバイス１５０は、所望のときに、ＵＳＢポート５０を介した電子機器の使用を防止するためにＵＳＢポート５０に取り付けられる。恒久的ＵＳＢブロックアウトデバイス１５０は、鍵または任意の他の取り外し工具によってＵＳＢポート５０から取り外されることを意図されない。したがって、ブロックアウトデバイス１５０は、ＵＳＢポート５０の使用を防止するために一度取り付けられることとなる。
【００２３】
ＵＳＢブロックアウトデバイス６０に関して上で論じられた摺動部６２と同様に、恒久的ＵＳＢブロックアウトデバイス１５０は、複数の成形歯１５２を含む。成形歯１５２は、ＵＳＢポート５０の接触スロット５４上に位置付けられる。恒久的ブロックアウトデバイス１５０が取り付けられるとき、電子接触プレート５２は、成形歯１５２の干渉によって下向きに偏向される。図２４に例示されるように、ブロックアウトデバイス１５０が完全に取り付けられた後、電子接触プレート５２は、その元の位置に戻り、ブロックアウトデバイス１５０が取り外されることを阻止する。
【００２４】
さらに、本発明の特定の好ましい実施形態を示し、説明したが、本発明の教示から逸脱することなく、変更および修正が行われてもよいことが当業者には明らかである。前述の説明および添付の図面内で説明された内容は、制限としてではなく、例示としてのみ提供される。本発明の実際の範囲は、先行技術に基づいて正しく捉えられるとき、以下の特許請求の範囲において定義されるよう意図される。
【符号の説明】
【００２５】
５０  ・・・ＵＳＢポート
５４  ・・・接触スロット
６０，１５０  ・・・ＵＳＢブロックアウトデバイス
６２  ・・・摺動部
６４  ・・・前部
６６  ・・・後部
６８  ・・・脚部
７０  ・・・上部
７２  ・・・成形ラッチ
８０，１５２  ・・・成形歯
８４  ・・・本体
８６  ・・・上部
９０  ・・・前部
９２  ・・・後部
９４  ・・・側部
９６，１２４  ・・・取り外し工具取り付けスロット
１１０  ・・・金属シェル
１２６  ・・・中心スロット
１３０  ・・・取り外し工具
１３６  ・・・金属舌部
１４０  ・・・アーム
１４４  ・・・工具摺動部
【図１】
0005781227.tif 000002
【図２】
0005781227.tif 000003
【図３】
0005781227.tif 000004
【図４】
0005781227.tif 000005
【図５】
0005781227.tif 000006
【図６】
0005781227.tif 000007
【図７】
0005781227.tif 000008
【図８】
0005781227.tif 000009
【図９】
0005781227.tif 000010
【図１０】
0005781227.tif 000011
【図１１】
0005781227.tif 000012
【図１２】
0005781227.tif 000013
【図１３】
0005781227.tif 000014
【図１４】
0005781227.tif 000015
【図１５】
0005781227.tif 000016
【図１６】
0005781227.tif 000017
【図１７】
0005781227.tif 000018
【図１８】
0005781227.tif 000019
【図１９】
0005781227.tif 000020
【図２０】
0005781227.tif 000021
【図２１】
0005781227.tif 000022
【図２２】
0005781227.tif 000023
【図２３】
0005781227.tif 000024
【図２４】
0005781227.tif 000025